(57)【要約】【課題】水洗便器に設けられた掃除口の閉塞作業を極めて簡単に行うことができる掃除口の閉塞構造を提供する。【解決手段】掃除口の閉塞構造１０は、便器１１内の排水経路に連通した状態で当該便器１１外側面の凹部に突設され、開口部１３ａ外周に固定フランジ１３ｆを有する掃除口１３を開閉可能に閉塞するものである。掃除口の閉塞構造１０は、固定フランジ１３ｆに便器１１側から当接する拡径縮径可能な座金部材１４と、掃除口１３の開口部１３ａを閉塞するパッキン１５および蓋１６と、蓋１６と座金部材１４とを締め付け固定する３本のボルト１７と、を備えている。蓋１６は円板形状であり、周縁よりやや内側に３つの孔１６ａが１２０度間隔で開設されている。座金部材１４は、円弧形状をした３つのセグメント部材１４ａを３つのバネ材１４ｂで連結することによって環状に形成されている。【選択図】図６
2007270583.tif 000002
【特許請求の範囲】
【請求項１】
便器内の排水経路に連通した状態で当該便器外面に突設され、開口部の外周に固定フランジを有する掃除口の閉塞構造であって、前記固定フランジに当該便器側から当接する拡径縮径可能な座金部材と、前記掃除口の開口部を閉塞する蓋と、前記蓋と前記座金部材とを締め付け固定するネジ部材と、を備えたことを特徴とする掃除口の閉塞構造。
【請求項２】
前記ネジ部材として、前記蓋に開設された孔または切欠部を貫通して前記座金部材に螺着されるボルトを用いたことを特徴とする請求項１記載の掃除口の閉塞構造。
【請求項３】
前記ネジ部材として、前記座金部材から前記蓋に向かって立設されたボルトと、前記蓋に開設された孔または切欠部を貫通する前記ボルトに螺着されるナットと、を用いたことを特徴とする請求項１記載の掃除口の閉塞構造。
【請求項４】
前記座金部材が、円弧形状をした複数のセグメント部材を複数のバネ材で連結して環状に形成したものであることを特徴とする請求項１〜３のいずれかに記載の掃除口の閉塞構造。
【発明の詳細な説明】
【技術分野】
【０００１】
本発明は、水洗便器に設けられた掃除口を閉塞する構造に関する。
【背景技術】
【０００２】
公共施設のトイレに配置されている水洗便器においては、備え付けのトイレペーパー以外のもの、例えばトイレットペーパーの芯や紙オムツなどの異物が流され、便器が詰まることがある。このような場合、便器に詰まった異物を除去することができるように、便器のトラップに臨む掃除口が設けられている。掃除口は、通常、便器洗浄作用に影響を与えないようにビス止め式の蓋で閉塞されており、点検や清掃の際にはビスを外して蓋を開放できるようになっている（例えば、特許文献１参照。）。
【０００３】
【特許文献１】特開２００２−３０２９８７号公報
【発明の開示】
【発明が解決しようとする課題】
【０００４】
特許文献１記載の「掃除口の閉鎖構造」は、掃除口の開口端部に便器と一体成形された固定フランジに蓋をビス止めする構造である。従って、取り外した蓋を固定する場合、固定フランジに開設された複数のビス孔の位置を一つずつ確認しながらビス挿入をしなければならず、作業性が悪い。また、掃除口への悪戯防止のため、簡単に発見できない便器側部の凹部内に掃除口が設けられた便器の場合、さらに作業性が悪く、作業中に誤ってビスを落とすこともある。
【０００５】
本発明が解決しようとする課題は、水洗便器に設けられた掃除口の閉塞作業を極めて簡単に行うことができる掃除口の閉塞構造を提供することにある。
【課題を解決するための手段】
【０００６】
本発明の掃除口の閉塞構造は、便器内の排水経路に連通した状態で当該便器外面に突設され、開口部の外周に固定フランジを有する掃除口の閉塞構造であって、前記固定フランジに当該便器側から当接する拡径縮径可能な座金部材と、前記掃除口の開口部を閉塞する蓋と、前記蓋と前記座金部材とを締め付け固定するネジ部材と、を備えたことを特徴とする。
【０００７】
このような構成とすれば、拡径縮径可能な座金部材を拡げて掃除口の固定フランジを貫通させた後、元の状態に縮径させれば座金部材を当該便器側から固定フランジに当接させることができ、この後、掃除口の開口部を蓋で閉塞し、蓋と座金部材とをネジ部材で締め付け固定することにより、掃除口を閉塞することができる。座金部材は固定フランジに当接した状態で保持されるため複数のネジ孔の位置は確定し、手で支える必要がなく、掃除口の正面側からのアプローチのみで作業を行うことができるので、閉塞作業を極めて簡単に行うことができる。
【０００８】
この場合、前記ネジ部材として、前記蓋に開設された孔または切欠部を貫通して前記座金部材に螺着されるボルトを用いることができる。このような構成とすれば、掃除口の正面側から、蓋に開設された孔または切欠部を貫通してボルトを差し込み座金部材に螺着するだけで固定できるため、作業性が良好である。
【０００９】
一方、前記ネジ部材として、前記座金部材から前記蓋に向かって立設されたボルトと、前記蓋に開設された孔または切欠部を貫通する前記ボルトに螺着されるナットと、を用いることもできる。このような構成とすれば、座金部材に立設されたボルトが、蓋に開設された孔または切欠部を貫通するようにして蓋を取り付ければ、その状態で蓋が保持されるため、蓋やボルトを手で支えることなく、ナットの螺着を行うことができる。このため、作業性がさらに向上する。
【００１０】
また、前記座金部材を、円弧形状をした複数のセグメント部材を複数のバネ材で連結して環状に形成したものとすることができる。このような構成とすれば、座金部材の拡径縮径範囲を比較的広く確保することができ、固定フランジの便器側部分に容易に当接可能となり、ネジ部材を用いて蓋体と確実に固定することができる。
【発明の効果】
【００１１】
本発明により、水洗便器に設けられた掃除口の閉塞作業を極めて簡単に行うことができる掃除口の閉塞構造を提供することができる。
【発明を実施するための最良の形態】
【００１２】
以下、図面に基づいて本発明の実施の形態について説明する。図１は本発明の第１実施形態である掃除口の閉塞構造を使用した便器を示す側面図、図２は図１に示す便器の平面図、図３は図１に示す掃除口の閉塞構造を構成する蓋の正面図、図４は図１に示す掃除口の閉塞構造を構成する座金部材の正面図、図５（ａ）は図１に示す便器の掃除口の側面図であり、図５（ｂ）は前記掃除口の正面図、図６は図１に示す掃除口の閉塞構造の分解断面図である。
【００１３】
図１，図２，図６に示すように、本実施形態の掃除口の閉塞構造１０は、便器１１内の排水経路（図示せず）に連通した状態で当該便器１１の外側面の凹部１２に突設され、開口部１３ａの外周に固定フランジ１３ｆを有する掃除口１３を開閉可能に閉塞するものである。掃除口の閉塞構造１０は、固定フランジ１３ｆに当該便器１１側から当接する拡径縮径可能な座金部材１４と、掃除口１３の開口部１３ａを閉塞するパッキン１５および蓋１６と、蓋１６と座金部材１４とを締め付け固定するネジ部材である３本のボルト１７と、を備えている。
【００１４】
図３に示すように、蓋１６は円板形状であり、周縁よりやや内側に３つの孔１６ａが１２０度間隔で開設されている。これらの孔１６ａの位置は、後述する、掃除口１３の固定フランジ１３ｆに設けられた３つのＵ状切欠部１３ｂと同じ位相で開設されている。図４に示すように、座金部材１４は、円弧形状をした３つのセグメント部材１４ａを３つのバネ材１４ｂで連結することによって環状に形成されている。３つのセグメント部材１４ａの中心付近には、それぞれボルト１７が螺着可能な雌ネジ孔１４ｃが開設されている。座金部材１４は、外力を加えたり、解除したりしてバネ材１４ｂを伸縮させることにより、拡径縮径させることができる。また、図５に示すように、掃除口１３の固定フランジ１３ｆには、周縁部分が開口した３つのＵ状切欠部１３ｂが１２０度間隔で設けられている。
【００１５】
ここで、図５に基づいて、掃除口の閉塞構造１０の組立手順について説明する。まず、外周方向に力を加えることにより座金部材１４を拡径させ、掃除口１３の固定フランジ１３ｆを貫通させた後、力を解除して元の状態に縮径させれば座金部材１４を当該便器１１側から固定フランジ１３ｆの背面に当接させることができる。このとき、座金部材１４の３つのセグメント部材１４ａの雌ネジ孔１４ｃがそれぞれ、固定フランジ１３ｆの３つのＵ状切欠部１３ｂと同軸上に並ぶようにする。
【００１６】
この後、掃除口１３の開口部１３ａをパッキン１５および蓋１６で閉塞し、蓋１６に開設されている３つの孔１６ａが、前述した３つのＵ状切欠部１３ｂおよび雌ネジ孔１４ｃと同軸上に並ぶように配置する。そして、蓋１６の正面から３つの孔１６ａにそれぞれボルト１７を差し込み、Ｕ状切欠部１３ｂを通って雌ネジ孔１４ｃに螺着させれば、蓋１６および座金部材１４で固定フランジ１３ｆを挟持した状態で固定され、掃除口１３を閉塞することができる。
【００１７】
このような組立工程において、座金部材１４は固定フランジ１３ｆの背面に当接した状態で保持されるため３つの雄ネジ孔１４ｃの位置は確定し、手で支える必要がなく、掃除口１３の正面側からのアプローチのみで一連の作業を行うことができるので、閉塞作業を極めて簡単に行うことができる。また、蓋１６および座金部材１４で固定フランジ１３ｆを挟持した状態で固定されるため、掃除口１３を確実に閉塞することができる。
【００１８】
次に、図７〜図１０に基づいて本発明の第２，３実施形態について説明する。図７は本発明の第２実施形態である掃除口の閉塞構造を示す分解断面図、図８は図７に示す掃除口の閉塞構造を構成する蓋の正面図、図９は本発明の第３実施形態である掃除口の閉塞構造を示す分解断面図、図１０は図９に示す掃除口の閉塞構造を構成する蓋の正面図である。なお、図７〜図１０において、図１〜図６に示す符号と同じ符号を付している部分は、前述した掃除口の閉塞構造１０の構成部分と同じ構造、機能を有する部分であり、説明を省略する。
【００１９】
図７に示す掃除口の閉塞構造２０においては、図３で示した蓋１６の代わりに、図８に示す蓋２６を用いている。蓋２６は円板形状であり、周縁部分が開口した３つのＵ状切欠部２６ａが１２０度間隔で開設されている。これらのＵ状切欠部２６ａの位置は、掃除口１３の固定フランジ１３ｆに設けられた３つのＵ状切欠部１３ｂと同じ位相で開設されている。このような構成とすることにより、図７に示すように、３つの雌ネジ孔１４ｃにそれぞれボルト１７を螺着させた状態の座金部材１４を、固定フランジ１３ｆの背面に当接させた後、蓋２６を掃除口１３の開口部１３ａに固定することができる。即ち、座金部材１４を構成する３つのセグメント部材１４ａの間にはバネ材１４ｂが配置されているため、図７に示すように、セグメント部材１４ａに螺着されたボルト１７は矢線２１方向に傾動可能である。従って、ボルト１７を外側に傾けた状態で蓋２６を開口部１３ａに装着した後、ボルト１７を蓋２６のＵ状切欠部２６ａに嵌め込み、ボルト１７を締め付ければ、蓋２６と座金部材１４とが固定される。
【００２０】
本実施形態の場合、ボルト１７が螺着された座金部材１４を固定フランジ１３ｆの背面に取り付け、この状態で保持することができるだけでなく、ボルト１７に対して蓋２６を取り付ければ、その状態で蓋２６が保持される。このため、蓋２６やボルト１７を手で支えることなく、ボルト１７の締め付けを行うことができ、作業性が極めて良好である。
【００２１】
次に、図９に示す掃除口の閉塞構造３０においては、図４で示した座金部材１４の代わりに、図１０に示す座金部材３４を用いている。座金部材３４においては、座金部材１４における３つの雌ネジ孔１４ｃと同位置にそれぞれボルト３７が立設されている。図９に示すように、これらのボルト３７は、座金部材３４を固定フランジ１３ｆの背面に当接させたとき、Ｕ状切欠部１３ｂを通過して突出した状態となる。従って、これらのボルト３７に３つの孔１６ａをそれぞれ合わせて蓋１６を取り付け、蓋１６の正面から突出するボルト３７にそれぞれ袋ナット３８を螺着して締め付ければ、蓋１６と座金部材３４とを固定することができる。
【００２２】
このように、本実施形態の場合、ネジ部材として、座金部材３４から蓋１６に向かって立設されたボルト３７と、蓋１６に開設された孔１６ａを貫通するボルト３７に螺着される袋ナット３８と、を用いている。このため、ボルト３７が孔１６ａを貫通するようにして蓋１６を取り付ければ、その状態で蓋１６が保持されるため、蓋１６やボルト３７を手で支えることなく、袋ナット３８の螺着および締め付けを行うことができ、極めて作業性が良好である。
【産業上の利用可能性】
【００２３】
本発明の掃除口の閉塞構造は、ホテル、駅、デパートなどの公共施設に配置されるトイレなどにおいて広く利用することができる。
【図面の簡単な説明】
【００２４】
【図１】本発明の第１実施形態である掃除口の閉塞構造を使用した便器を示す側面図である。
【図２】図１に示す便器の平面図である。
【図３】図１に示す掃除口の閉塞構造を構成する蓋の正面図である。
【図４】図１に示す掃除口の閉塞構造を構成する座金部材の正面図である。
【図５】（ａ）は図１に示す便器の掃除口の側面図であり、（ｂ）は前記掃除口の正面図である。
【図６】図１に示す掃除口の閉塞構造の分解断面図である。
【図７】本発明の第２実施形態である掃除口の閉塞構造を示す分解断面図である。
【図８】図７に示す掃除口の閉塞構造を構成する蓋の正面図である。
【図９】本発明の第３実施形態である掃除口の閉塞構造を示す分解断面図である。
【図１０】図９に示す掃除口の閉塞構造を構成する蓋の正面図である。
【符号の説明】
【００２５】
１０，２０，３０  掃除口の閉塞構造
１１  便器
１２  凹部
１３  掃除口
１３ａ  開口部
１３ｂ，２６ａ  Ｕ状切欠部
１３ｆ  固定フランジ
１４，３４  座金部材
１４ａ  セグメント部材
１４ｂ  バネ材
１４ｃ  雌ネジ孔
１５  パッキン
１６，２６  蓋
１６ａ  孔
１７，３７  ボルト
２１  矢線
３８  袋ナット
【図１】
2007270583.tif 000003
【図２】
2007270583.tif 000004
【図３】
2007270583.tif 000005
【図４】
2007270583.tif 000006
【図５】
2007270583.tif 000007
【図６】
2007270583.tif 000008
【図７】
2007270583.tif 000009
【図８】
2007270583.tif 000010
【図９】
2007270583.tif 000011
【図１０】
2007270583.tif 000012